(57)【要約】  本発明は、防水接続端子及び電気製品を提供し、防水機能付きの電気製品の技術分野に関する。防水接続端子は、オス側と、メス側とを備える。オス側本体が絶縁スリーブを貫通して、絶縁スリーブに固定して接続され、水拭きパッドがメス側本体内に取り付けられ、オス側をメス側に挿入するとき、オス側本体及び絶縁スリーブが順に水拭きパッドに入り、水拭きパッドがオス側本体に対して押圧力を生じ、オス側本体における水が水拭きパッドの外に止められ、次に絶縁スリーブの外まで流れ、水によって電流が導通することを防止する。従来の接続端子に比べて、本発明の防水接続端子は、オス側本体に外嵌される絶縁スリーブ、及びメス側本体内に取り付けられる水拭きパッドを用いるので、オス側本体における水を絶縁スリーブの外に押し出して、水がメス側本体に入ってリークのリスクを引き起こすことを防止でき、使用上の利便性があり、実用的かつ安全である。【選択図】  図１
2021503153.tif 000002
【特許請求の範囲】
【請求項１】
オス側（３）と、メス側（４）とを備え、
前記オス側（３）は、オス側本体（５）と、絶縁スリーブ（６）とを含み、
前記オス側本体（５）が前記絶縁スリーブ（６）を貫通して、前記絶縁スリーブ（６）に固定して接続され、
前記メス側（４）は、メス側本体（９）と、水拭きパッド（１０）とを含み、
前記水拭きパッド（１０）は、前記メス側本体（９）内に取り付けられ、前記オス側（３）を前記メス側（４）に挿入するとき、前記オス側本体（５）における水を前記絶縁スリーブ（６）の外に押し出すことに用いられる、ことを特徴とする防水接続端子。
【請求項２】
前記オス側本体（５）は、円筒状であり、接続部（７）と、ピン部（８）とを含み、
前記接続部（７）が前記ピン部（８）に接続され、
前記絶縁スリーブ（６）が前記接続部（７）に外嵌され、
前記接続部（７）に固定して接続される、ことを特徴とする請求項１に記載の防水接続端子。
【請求項３】
前記絶縁スリーブ（６）の前記ピン部（８）に接近する一端の直径が、前記絶縁スリーブ（６）の前記ピン部（８）とは反対側の一端の直径より小さい、ことを特徴とする請求項２に記載の防水接続端子。
【請求項４】
前記メス側本体（９）内には、取付キャビティ（１１）及び導電性キャビティ（１２）が設けられ、
前記取付キャビティ（１１）が前記導電性キャビティ（１２）に連通し、
前記水拭きパッド（１０）が前記取付キャビティ（１１）内に取り付けられ、
前記オス側（３）が前記水拭きパッド（１０）を貫通して、前記導電性キャビティ（１２）に挿入される、ことを特徴とする請求項１に記載の防水接続端子。
【請求項５】
前記水拭きパッド（１０）には、挿入穴（１３）が設けられ、
前記挿入穴（１３）の位置が前記導電性キャビティ（１２）の位置に対応し、
前記挿入穴（１３）は、前記オス側（３）が貫通することに用いられる、ことを特徴とする請求項４に記載の防水接続端子。
【請求項６】
前記絶縁スリーブ（６）が前記挿入穴（１３）に締まり嵌めされ、
前記オス側本体（５）が前記挿入穴（１３）に遊嵌される、ことを特徴とする請求項５に記載の防水接続端子。
【請求項７】
前記水拭きパッド（１０）の前記導電性キャビティ（１２）とは反対側の一端には、前記挿入穴（１３）と連通する広口構造（１４）が設けられる、ことを特徴とする請求項５に記載の防水接続端子。
【請求項８】
前記広口構造（１４）は、ラッパ状であり、対向して設けられる大端（１５）と小端（１６）とを含み、
前記大端（１５）が前記オス側（３）を挿入することに用いられ、前記小端（１６）が前記挿入穴（１３）に接続される、ことを特徴とする請求項７に記載の防水接続端子。
【請求項９】
前記水拭きパッド（１０）がゴム材料で構成され、
前記絶縁スリーブ（６）が絶縁グリース材料で構成される、ことを特徴とする請求項１に記載の防水接続端子。
【請求項１０】
請求項１〜９のいずれか１項に記載の防水接続端子を備える、ことを特徴とする電気製品。
【発明の詳細な説明】
【技術分野】
【０００１】
本発明は、防水機能付き電気製品の技術分野に関し、より詳細には、防水接続端子及び電気製品に関する。
【０００２】
【背景技術】
【０００３】
従来の端子接続構造は、電線、信号線の正確な位置合わせを達成することができ、電気製品において十分に幅広く適用されている。しかしながら、電気製品をメンテナンスまたは脱着するとき、端子のオス側に誤って水をかけてしまって、端子のメス側に接続すると、リークのリスクが存在し、少なくとも、停電して漏電し、最悪の場合、火災を引き起こして、使用者の生命と財産を危険にさらす。
【発明の概要】
【発明が解決しようとする課題】
【０００４】
これに鑑みて、本発明は、構成が簡単であり、組み立てるとき、オス側に付いた水をきれいに排除し、水がメス側に入ってリークのリスクを引き起こすことを防止でき、使用上の利便性があり、実用的かつ安全である防水接続端子を提供することを目的とする。
【課題を解決するための手段】
【０００５】
上記目的を達成するために、本発明の技術案は以下のように実現される。
【０００６】
本発明は、防水接続端子であって、オス側と、メス側とを備え、オス側は、オス側本体と、絶縁スリーブとを含み、オス側本体が絶縁スリーブを貫通して、絶縁スリーブに固定して接続され、メス側は、メス側本体と、水拭きパッドとを含み、水拭きパッドは、メス側本体内に取り付けられ、オス側をメス側に挿入するとき、オス側本体における水を絶縁スリーブの外に押し出すことに用いられる。
【０００７】
さらに、オス側本体は、円筒状であり、接続部と、ピン部とを含み、接続部がピン部に接続され、絶縁スリーブが接続部に外嵌され、接続部に固定して接続される。
【０００８】
さらに、絶縁スリーブのピン部に接近する一端の直径が、絶縁スリーブのピン部とは反対側の一端の直径より小さい。
【０００９】
さらに、メス側本体内には、取付キャビティ及び導電性キャビティが設けられ、取付キャビティが導電性キャビティに連通し、水拭きパッドが取付キャビティ内に取り付けられ、オス側が水拭きパッドを貫通して、導電性キャビティに挿入される。
【００１０】
さらに、水拭きパッドには、挿入穴が設けられ、挿入穴の位置が導電性キャビティの位置に対応し、挿入穴は、オス側が貫通することに用いられる。
【００１１】
さらに、絶縁スリーブが挿入穴に締まり嵌めされ、オス側本体が挿入穴に遊嵌される。
【００１２】
さらに、水拭きパッドの導電性キャビティとは反対側の一端には、挿入穴に連通する広口構造が設けられる。
【００１３】
さらに、広口構造は、ラッパ状であり、対向して設けられる大端と小端とを含み、大端がオス側を挿入することに用いられ、小端が挿入穴に接続される。
【００１４】
さらに、水拭きパッドがゴム材料で製造され、絶縁スリーブが絶縁グリース材料で製造される。
【発明の効果】
【００１５】
本発明の防水接続端子は、従来のそれに比べて、以下の利点を有する。
本発明の防水接続端子は、オス側本体が絶縁スリーブを貫通して、絶縁スリーブに固定して接続され、水拭きパッドがメス側本体内に取り付けられ、オス側をメス側に挿入するとき、オス側本体及び絶縁スリーブが順に水拭きパッドに入り、水拭きパッドがオス側本体に対して押圧力を生じ、オス側本体における水が水拭きパッドの外に止められ、次に絶縁スリーブの外まで流れ、水によって電流が導通されることを防止する。本発明の防水接続端子は、従来のそれと比べて、オス側本体に外嵌される絶縁スリーブ、及びメス側本体内に取り付けられる水拭きパッドを用いるので、オス側本体における水を絶縁スリーブの外に押し出して、水がメス側本体に入ってリークのリスクを引き起こすことを防止することができ、使用上の利便性があり、実用的かつ安全である。
【００１６】
本発明の他の目的は、構成が簡単であり、組み立てるとき、オス側に付いた水をきれいに排除し、水がメス側に入ってリークを引き起こすリスクを防止することができ、使用上の利便性があり、実用的かつ安全であり、安定しかつ耐久性がある電気製品を提供することである。
【００１７】
上記目的を達成するために、本発明の技術案は以下のように実現される。
【００１８】
上記防水接続端子を備える電気製品でもある。
【００１９】
本発明の電気製品は、従来のそれに比べて、以下の利点を有する。
本発明の電気製品は、防水接続端子を備え、構成が簡単であり、オス側本体における水を絶縁スリーブの外に押し出して、水がメス側本体に入ってリークのリスクを引き起こすことを防止することができ、使用上の利便性があり、実用的かつ安全であり、安定しかつ耐久性がある。
【００２０】
前記電気製品は、従来技術に比べ、上記防水接続端子と同じ利点を有するので、ここで繰り返し説明しない。
【００２１】
図面は、本発明の更なる理解を提供するために用いられ、本発明の一部を構成するものである。本発明の例示的な実施例及び説明は、本発明を解釈するためのものであり、本発明に対する不適切な制限を構成するものではない。
【図面の簡単な説明】
【００２２】
【図１】本発明の実施例の防水接続端子の構造模式図である。
【図２】本発明の実施例の防水接続端子におけるオス側の模式図である。
【図３】本発明の実施例の防水接続端子におけるメス側の模式図である。
【図４】図３における水拭きパッドの模式図である。
【発明を実施するための形態】
【００２３】
なお、本発明の実施例及び実施例の特徴は、矛盾がない限り、互いに組み合わせることができる。
【００２４】
以下、図面を参照しながら実施例と組み合わせて本発明について詳細に説明する。
【００２５】
実施例
図１を参照して、本発明の実施例は、電気製品（図示せず）を提供するものであり、使用者の日常生活に便利さをもたらす。その構成が簡単であり、組み立てるとき、オス側３に付いた水をきれいに排除して、水がメス側４に入ってリークをもたらすリスクを防止することができ、使用上の利便性があり、実用的かつ安全である。本発明の電気製品は、防水接続端子１を備え、防水接続端子１は、電気製品における電線、信号線の正確な位置合わせを達成することに用いられる。本実施例では、電気製品がエアーコンディショナーである場合を例として、具体的に説明する。
【００２６】
防水接続端子１は、オス側３と、メス側４とを備える。オス側３をメス側４に挿入することによって、組み立てを達成し、電線、信号線の正確な位置合わせを完了する。エアーコンディショナーを正常に用いるとき、オス側３とメス側４との組み立てが完了されており、外部の水が入ることができないが、エアーコンディショナーをメンテナンスして洗浄するとき、オス側３とメス側４とが取り外されているため、オス側３に誤って水をかけてしまう恐れがある。このとき、オス側３を再びメス側４に組み立てることで、メス側４がオス側３における水を押し出し、リークのリスクを防止することができる。
【００２７】
図２を参照して、オス側３は、オス側本体５と、絶縁スリーブ６とを備える。オス側本体５は、絶縁スリーブ６を貫通して、絶縁スリーブ６に固定して接続される。オス側本体５は、導電性材料で構成され、オス側３とメス側４との導通を達成する。メス側４は、オス側本体５における水を絶縁スリーブ６の外まで押し、水とオス側本体５との間に絶縁スリーブ６が配置されることで水がオス側本体５から隔離され、オス側本体５に接触して導電することを防止する。
【００２８】
オス側本体５は、接続部７と、ピン部８とを含む。接続部７がピン部８に接続され、絶縁スリーブ６が接続部７に外嵌され、かつ接続部７に固定して接続される。ピン部８は、絶縁スリーブ６から伸び出し、メス側４と直接導通することに用いられる。絶縁スリーブ６をメス側４に挿入しやすいように、絶縁スリーブ６のピン部８に接近する一端の直径が、絶縁スリーブ６のピン部８とは反対側の一端の直径より小さくなっている。
【００２９】
本実施例では、オス側本体５は、円筒状であるが、これに限られず、オス側本体５は、矩形柱の形状であってもよく、オス側本体５の形状について具体的に限定していない。
【００３０】
図３を参照して、メス側４は、メス側本体９と、水拭きパッド１０とを含む。水拭きパッド１０は、メス側本体９内に取り付けられ、オス側３をメス側４に挿入するとき、オス側本体５における水を絶縁スリーブ６の外に押し出すことに用いられる。メス側本体９内には、取付キャビティ１１及び導電性キャビティ１２が設けられる。取付キャビティ１１が導電性キャビティ１２に連通し、水拭きパッド１０が取付キャビティ１１内に取り付けられ、オス側３が水拭きパッド１０を貫通して、導電性キャビティ１２に挿入される。オス側本体５における水は、水拭きパッド１０の作用で絶縁スリーブ６の外に押し出され、水が取付キャビティ１１に入って安全性にリスクを引き起こすことを回避することができ、オス側本体５を導電性キャビティ１２に挿入することで、導電を達成する。
【００３１】
水拭きパッド１０には、挿入穴１３が設けられ、挿入穴１３の位置が導電性キャビティ１２の位置に対応し、挿入穴１３は、オス側３が貫通することに用いられ、オス側３が挿入穴１３を貫通することで、導電性キャビティ１２と導通することができる。絶縁スリーブ６が挿入穴１３に締まり嵌めされ、オス側本体５が挿入穴１３に遊嵌され、オス側３とメス側４とを容易に嵌合することができる。
【００３２】
図４を参照して、本実施例では、水拭きパッド１０の導電性キャビティ１２とは反対側の一端には、広口構造１４が設けられ、広口構造１４が挿入穴１３に連通する。広口構造１４は、ラッパ状であり、対向して設けられる大端１５と、小端１６とを含み、大端１５がオス側３を挿入することに用いられ、小端１６が挿入穴１３に接続され、オス側３を挿入しやすく、オス側３が挿入しながら変形したり、曲がったりすることを防止する。
【００３３】
本実施例では、水拭きパッド１０がゴム材料で構成され、絶縁スリーブ６が絶縁グリース材料で構成されるが、これに限られず、水拭きパッド１０及び絶縁スリーブ６の材料について具体的に限定していない。
【００３４】
オス側３とメス側４との組み立てにおいて、まず、オス側本体５を水拭きパッド１０の挿入穴１３に貫通させ、オス側本体５が挿入穴１３に遊嵌されるため、オス側本体５における水が水拭きパッド１０により挿入穴１３の外に止められ、オス側本体５とともに挿入穴１３に入ることができず、このとき、一部の水がオス側本体５から滴下し、次に、絶縁スリーブ６を水拭きパッド１０の挿入穴１３に貫通させ、絶縁スリーブ６が挿入穴１３に締まり嵌めされるため、挿入穴１３の外の一部の水が水拭きパッド１０により絶縁スリーブ６の外に押し出され、水拭きパッド１０とともに挿入穴１３に入ることができず、リークの発生を回避することができる。
【００３５】
本発明の実施例の防水接続端子１は、オス側本体５が絶縁スリーブ６を貫通して、絶縁スリーブ６に固定して接続され、水拭きパッド１０がメス側本体９内に取り付けられ、オス側３をメス側４に挿入するとき、オス側本体５及び絶縁スリーブ６が順に水拭きパッド１０に入り、水拭きパッド１０がオス側本体５に対して押圧力を生じ、オス側本体５における水が水拭きパッド１０の外に止められ、次に絶縁スリーブ６の外まで流れ、水が電流で導通されることを防止する。従来の接続端子に比べて、本発明の防水接続端子１は、オス側本体５に外嵌される絶縁スリーブ６、及びメス側本体９内に取り付けられる水拭きパッド１０を用いるので、オス側本体５における水を絶縁スリーブ６の外に押し出して、水がメス側本体９に入ってリークのリスクを引き起こすことを防止することができ、使用上の利便性があり、実用的かつ安全であり、それにより、電気製品は、安全性が高く、使用者体験が良好である。
【００３６】
以上は、本発明の好適な実施例にすぎず、本発明を制限するものではなく、本発明の精神及び原理の範囲内で行われるいかなる補正及び均等な置換や改良などは、いずれも本発明の特許請求の範囲に含まれる。
【符号の説明】
【００３７】
１  防水接続端子
３  オス側
４  メス側
５  オス側本体
６  絶縁スリーブ
７  接続部
８  ピン部
９  メス側本体
１０  水拭きパッド
１１  取付キャビティ
１２  導電性キャビティ
１３  挿入穴
１４  広口構造
１５  大端
１６  小端
【図１】
2021503153.tif 000003
【図２】
2021503153.tif 000004
【図３】
2021503153.tif 000005
【図４】
2021503153.tif 000006
【国際調査報告】
2021503153.tif 000007
2021503153.tif 000008
2021503153.tif 000009
2021503153.tif 000010
2021503153.tif 000011